(57)【特許請求の範囲】
【請求項１】
液体容器の開口部に装着される栓体で、栓体内部における平面偏心位置に流出通路を備えると共に、前記流出通路入口を開閉する弁部並びに前記弁部の開閉操作機構を備え、流出通路から外れた位置に弁部の開閉操作に従動する弁棒を弁部と一体に設けた弁体を採用し、弁部近傍部分の弁棒外周に突出部を形成すると共に、弁棒が挿通される開閉操作用の弁棒ガイド孔の内周面に、弁閉塞位置における弁体の正常位置と、弁体が流出通路入口から横にずれた離脱位置とに、前記突出部と嵌合する嵌合溝を設け、弁解放位置では、突出部を嵌合溝から離脱させた状態で弁体を回動可能に設けて、弁部が流出通路入口から横方にずれた位置での保持機能並びに復帰阻止機能を有する移行機構を備えてなることを特徴とする液体容器の栓装置。
【請求項２】
弁部を流出通路入口からずらした状態では、栓装置を液体容器に装着できないずらし位置で保持並びに回動復帰阻止がなされる請求項１記載の液体容器の栓装置。
【請求項３】
弁棒ガイド孔を上下で内径を相違させ、上部内周面に弁閉塞位置における弁体の正常位置と、弁体が流出通路入口から横にずれた離脱位置にそれぞれ設けた嵌合溝を１８０度の対面とし、且つ下部内径を突出部が自由に回動できる大きさに形成すると共に、前記上下部境界箇所の内周面に、嵌合溝突出部を誘導する傾斜縁部を設けてなる請求項１記載の液体容器の栓装置
【発明の詳細な説明】
【０００１】
【産業上の利用分野】
本発明は、主として携帯用に使用される液体容器の栓装置に関するものである。
【０００２】
【従来技術及び発明が解決しようとする課題】
携帯用液体容器等に採用されている栓装置は、従前から種々の構造のものが提案されている。基本的には、内部に流出通路を設けると共に、流出通路入口に開閉弁機構を設け、栓装置の外部からの操作で前記開閉機構を操作するようにしている。
【０００３】
ところで、前記栓装置を備えた携帯用の液体容器は、その使用の都度洗浄がなされるもので、内部の特に流出通路の洗浄が煩雑である。このため従前より、流出通路の洗浄が容易となる構造が提案されている。具体的には、栓体を内栓体と外栓体の内外二重構造とし、内栓体に開閉弁機構と短い流出通路を設け、内栓体を外栓体に組み込んだ際に両栓体の内外壁間を流出通路としたり、内栓体を更に操作機構部分と、弁部分とに上下二分し、外栓体に上下から内栓体を組み込み、これを容器体の開口部に装着したり、前記弁部分を外栓体に組み込んだりする構造を採用している（特許第２５００６５０号、同第２６３８５１９号、同第２８４５１５７号）。
【０００４】
前記のように栓体を内外二重体としたり、上下分割構造とした場合には、洗浄後の組立などは、洗浄を担当する主婦にとって非常に面倒な作業であり、部品を紛失したり、誤って組み立てる虞もある。このため栓装置を液体容器から外しただけで、流出通路の入口を解放できる栓装置が提案されている。即ち登録実用新案第３０４０７０８号公報及び特開２０００−１４５７３号公報に開示されているように、弁部分を閉塞作用のスプリングの付勢力に抗して引っ張り出し、更に回動して流出通路入口を露出させると共に、弁軸の突出部分を弁軸孔の縁部に引っ掛けて、閉塞方向（軸方向）への付勢力で当該解放状態を維持させている。
【０００５】
しかし前記した弁部の回動による流出通路入口の開放手段は、開閉用スプリングを、通常の開閉以上に強く引っ張ったり、或いは圧縮状態とするもので、洗浄作業中、スプリングに過剰の負担が加わることになる。このような過剰負担は、スプリングの付勢力の減衰を招き、弁の閉塞能力が低下してしまい、製品寿命を短くする虞がある。しかも栓装置の洗浄に際しては、装置に対して多方向からの力が加わることになる。このため前記の従前装置では、僅かなきっかけで、弁体が回動復帰し、弁体を閉塞状態としてしまい、必ずしも洗浄作業が容易であるとはいえない。
【０００６】
そこで本発明は、特に弁体を回動するなど流出通路入口を露出させた際に、弁体が不用意に動作しないようにして、確実な洗浄作業を行うことのできる栓装置を提案したものである
【０００７】
【課題を解決する手段】
本発明に係る液体容器の栓装置は、液体容器の開口部に装着される栓体で、内部に流出通路を備えると共に、流出通路入口を開閉する弁部並びに弁部の開閉操作機構を備え、弁部が流出通路入口位置から横方にずれて流出通路入口を解放した位置で、前記弁部の当該位置での保持機能並びに復帰阻止機能を有する移行機構を備えてなることを特徴とするものである。
【０００８】
液体容器の開口部に栓体を装着し、流出通路入口を弁部による開閉によって収納液体の注ぎ出し並びに流出防止の所謂栓機能を備え、特に栓装置を液体容器から外し、弁部を横方向に移動させて流出通路を露出させると、流出通路内の洗浄が容易に実施できる。而も弁部を横方向に移動させた際に、復帰阻止機能が働くことで、洗浄作業時の不用意な弁部の移動がなく、確実な洗浄作業を行うことがてきる。
【０００９】
【実施の形態】
次に本発明の実施の形態について説明する。実施形態に示した栓装置は、栓本体を構成するキャップ１及び本体２、弁開閉操作機構を構成するキャップ１、釦体３、回転駒４及びスプリング５、弁機構並びに移行機構を構成する本体２及び弁体６とで構成される。
【００１０】
キャップ１は本体２と組み合わせて栓体を構成するもので、後述する流出通路２１の出口（注ぎ口）を形成する庇部１１と、栓体の中心からずれた位置に弁操作機構用の孔部１２とを備え、孔部１２の内周壁１３に、弁開閉操作機構を構成する傾斜ガイド縁並びに釦体ガイド溝を形成してなる。以下孔部１２の中心位置を「弁中心」と定義する。
【００１１】
本体２は、内外二重筒体で、内側筒部２２が液体容器Ａの開口部に挿入され、外側筒部２３は、液体容器Ａの開口部外周を被冠すると共に、螺合装着できる構造としてなり、内側筒部２２の下方部分には、液体容器Ａの開口部内壁に密着する栓パッキン２４を付設してなる。尚栓パッキン２４は、弁機構の弁座も兼ねる。
【００１２】
更に栓体の中心からずれた位置で、栓体中心からみて弁中心と反対側となる位置に流出通路２１を設け、弁中心に弁棒ガイド孔２５を設けてなる。特に弁棒ガイド孔２５は、上下で内径を相違させ、上部内周面には、１８０度の対面位置に後述する突出部６３の幅と対応する嵌合溝２６を弁開閉ストロークと同程度の長さに設け、下部内径は、突出部６３が自由に回動できる大きさにしてなり、上下部境界箇所の内周面に、前記嵌合溝２６に突出部６３を誘導する傾斜縁部２７を設けてなる。
【００１３】
弁操作機構を構成する釦体３及び回転駒４は、孔部１２に下方より挿入されて装着されるもので、釦体３は、内周壁１３の傾斜ガイド縁と対応する傾斜下縁３１並びに釦体ガイド溝に嵌合する嵌合突部３２を設けてなる。回転駒４は、釦体３に内装され、傾斜ガイド縁に当接する突部４１を設けると共に、内側に後述する弁体６の弁棒先端との連結部（弁棒の回転が自在である連結構造）４２を設けてなる。
【００１４】
スプリング５は、回転駒４と本体２の弁棒ガイド孔２５の外周部分（本体の底面内側）に介装してなる。
【００１５】
弁体６は、栓パッキン２４を弁座とする弁部６１と、弁中心に設けた弁棒６２を備えると共に、弁棒６２は弁棒ガイド孔２５に挿通して先端を連結部４２と連結し、弁棒６２における弁部６１の近傍外周面に、弁部６１による弁開閉ストロークの間は、嵌合溝２６に嵌合状態となる突出部６３を設けてなる。
【００１６】
而して前記の栓装置は、一体に組み上げられた状態で液体容器Ａの開口部に螺合装着されて使用されるもので、従前の周知の弁開閉操作機構と同様に、釦体３の押圧操作で、順次回転駒４が奥方位置、上方位置で保持されて、弁体６の上下動作がなされ、弁の開閉がなされる。
【００１７】
ところで栓体の洗浄に際しては、栓装置を液体容器から外して行うもので、外した状態では、弁部６１が弁座（栓パッキン）２４に密着しているため、流出通路２１の入口が塞がれている。更に釦体３を操作して弁開放状態としても、流出通路の入口は共に狭く、内部洗浄がし難い。本発明では、一旦弁開閉機構を動作させて、弁を開放状態とし、更に弁部６１を把持して開放方向に僅かに引き出すと、突出部６３が嵌合溝２６から離脱するので、弁体６は、弁中心を中心軸として容易に回動できる。
【００１８】
そこで弁体６を回動すると、弁中心と円形弁部の中心が相違するので、流出通路２１の入口から弁部６１が横方に移行されることになり、入口が露出し、更に１８０度回動して弁体６の把持を開放すると、スプリング５の付勢力で、突出部６３が嵌合溝２６に嵌り込んで安定する。
【００１９】
従って、多少の力（洗浄操作時に栓体が受ける力）では、弁体６が流出通路２１を塞ぐような虞が全くなく、弁体６が安定した状態で流出通路２１内の洗浄ができたものである。
【００２０】
更に前記実施形態では、弁座を栓パッキンとし、弁部を円形としたものであるから、前記の弁部移行状態では、液体容器開口部への栓装置の装着ができないので、洗浄後も誤って液体容器に装着される虞がない利点もある。
【００２１】
また突出部６３と嵌合溝２６の関係は、弁体を１８０度しっかりと回動させなくとも、弁体６を開閉状態から釦体３を操作して閉塞状態に移行させると、スプリング５の付勢力で、突出部６３が傾斜縁部２７に添って自ら回動しながら嵌合溝２６に入り込むものである。
【００２２】
従って弁体６の弁部６１が流出通路２１を塞いだ状態か、或いは開口した状態の何れかに安定するので、取り扱いに便利である利点がある。
【００２３】
更に前記傾斜縁部２７自体が回動復帰阻止機構として作用するので、特に弁体６を閉鎖状態とせずに、そのまま開放状態のままであっても、安定洗浄は可能である。
【００２４】
尚前記実施形態では、通常の弁開閉操作中は、突出部６３が嵌合溝２６から離脱しない範囲としたため、洗浄時の弁体回動に際して、スプリングに通常の開閉操作時よりも負担をかけるが、一時的なものであるのであまり問題とはならない。勿論嵌合溝を短くして、弁閉塞状態のまま回動可能としても良い。但しその場合でも傾斜縁部２７を突出部６３が越えて移動する際には、スプリング５の付勢力を一時的に越える必要がある。従ってこの傾斜縁部の山越動作が復帰阻止機能ともなる。
【００２５】
更に本発明は、前記実施形態に限定されるものではなく、流出通路の開閉弁が横移行機能を備えて、流出通路の入り口が露出するものであれば良く、栓体の全体構成も液体容器への螺合装着に限定されるものではないし、弁の開閉操作も所謂前記のノック方式に限定されず、レバー操作によるものでも良い。
【００２６】
【発明の効果】
以上のとおり本発明は、液体容器の開口部に装着される栓体で、内部に流出通路を備えると共に、流出通路入口を開閉する弁部に、開閉操作機構の他に流出通路入口位置から横方にずれた位置での保持機能及び復帰阻止機能を備えた移行機構をも付加した栓装置で、液体容器から取り外した栓装置を、移行機構によって弁部を横方向に移動させて流出通路を露出させると、流出通路内の洗浄が容易に実施できるものである。
【図面の簡単な説明】
【図１】本発明の実施形態の分解斜視図。
【図２】同装置全体の一部切断した斜視図。
【図３】同断面図。
【図４】同移行機構操作時の断面図。
【図５】同装置全体の下方斜視図で（イ）は通常時（ロ）は洗浄時を示す。
【図６】同弁棒ガイド孔の説明断面図。
【図７】同突出部の説明図。
【符号の説明】
１      キャップ
１１    庇部
１２    孔部
１３    内周壁
２      本体
２１    流出通路
２２    内側筒部
２３    外側筒部
２４    栓パッキン（弁座）
２５    弁棒ガイド孔
２６    嵌合溝
２７    傾斜縁部
３      釦体
３１    傾斜下縁
３２    嵌合突部
４      回転駒
４１    突部
４２    連結部
５      スプリング
６      弁体
６１    弁部
６２    弁棒
６３    突出部
【図１】
0003574778.tif 000002
【図２】
0003574778.tif 000003
【図３】
0003574778.tif 000004
【図４】
0003574778.tif 000005
【図５】
0003574778.tif 000006
【図６】
0003574778.tif 000007
【図７】
0003574778.tif 000008